(57)【要約】【課題】鉄筋やモルタルを用いることなく、所要な技量を要することなく簡易的に土留め工を築工できるようにする。【解決手段】平面形状の横幅方向の少なくとも２個所に上下方向に貫通する穴３を設けたブロック１と、上記穴を合わせて積み重ねた上下のブロックの相互の穴にまたがってわずかな隙間を有して嵌合する連結材８とからなる構成となっている。【選択図】図６
2008115666.tif 000002
【特許請求の範囲】
【請求項１】
平面形状の横幅方向の少なくとも２個所に上下方向に貫通する穴を設けたブロックと、
上記穴を合わせて積み重ねた上下のブロックの相互の穴にまたがってわずかな隙間を有して嵌合する連結材とからなる
ことを特徴とする土留め工用ブロック材。
【請求項２】
平面形状の横幅方向の少なくとも２個所に上下方向に貫通する穴を設けたフルサイズのブロックと、
平面形状の大きさが上記フルサイズのブロックの穴の数分の１の大きさであると共に、奥行きと高さの大きさをフルサイズのブロックの奥行きと高さと同一にしたハーフサイズのブロックと、
上記各ブロックの穴を合わせて積み重ねた上下のブロックの相互の穴にまたがってわずかな隙間を有して嵌合する連結材とからなる
ことを特徴とする土留め工用ブロック材。
【請求項３】
フルサイズのブロックの平面形状が、奥行きと横幅の比で１：２にした形状であり、この平面形状の横幅方向の両端から１／４の位置に穴を設けたことを特徴とする請求項２記載の土留め工用ブロック材。
【請求項４】
連結材が、ブロックの高さと略同一の長さにしたフルサイズの連結材と、ブロックの高さが略１／２の長さにしたハーフサイズの連結材とからなることを特徴とする請求項１，２，３のいずれか１項記載の土留め工用ブロック材。
【発明の詳細な説明】
【技術分野】
【０００１】
本発明は、簡易的に築工可能にした土留め工に用いられる土留め工用ブロック材に関するものである。
【背景技術】
【０００２】
従来のこの種の土留め工用ブロック材としてはＪＩＳ  Ａ５４０６にて「配筋のための空洞を持つコンクリートブロック」と定義された建築用コンクリートブロックが用いられている。
【０００３】
【非特許文献１】「建築学ポケットブック」株式会社オーム社、昭和５０年７月３０日発行、１−１７１〜１７３頁［２］目地モルタル及び填充コンクリートと積み方。
【発明の開示】
【発明が解決しようとする課題】
【０００４】
従来の空洞を有する建築用コンクリートブロックでは、これを用いて土留め工を構築するのに、目地や空洞部に鉄筋やモルタルを使用したり填充しなければならないため所要の技量を必要とし、簡易的に構築することができなかった。
【０００５】
本発明は上記のことに鑑みなされたもので、鉄筋やモルタルを用いることなく、従って所要な技量を要することなく、簡易的に土留め工を築工することができるようにした土留め工用ブロック材を提供しようとするものである。
【課題を解決するための手段】
【０００６】
上記目的を達成するために、請求項１に記載された発明の土留め工用ブロック材は、平面形状の横幅方向の少なくとも２個所に上下方向に貫通する穴を設けたブロックと、上記穴を合わせて積み重ねた上下のブロックの相互の穴にまたがってわずかな隙間を有して嵌合する連結材とからなっている。
【０００７】
また、請求項２に記載された発明の土留め工用ブロックは、平面形状の横幅方向の少なくとも２個所に上下方向に貫通する穴を設けたフルサイズのブロックと、平面形状の大きさが上記フルサイズのブロックの穴の数分の１の大きさであると共に、奥行きと高さの大きさをフルサイズのブロックの奥行きと高さと同一にしたハーフサイズのブロックと、上記各ブロックの穴を合わせて積み重ねた上下のブロックの相互の穴にまたがってわずかな隙間を有して嵌合する連結材とからなっている。
【０００８】
また、請求項３に記載された発明は、上記請求項２に記載された土留め工用ブロック材において、フルサイズのブロックの平面形状が、奥行きと横幅の比で１：２にした形状であり、この平面形状の横幅方向の両端から１／４の位置に穴を設けた構成になっている。
【０００９】
さらに請求項４に記載された発明は、上記各請求項のいずれか１項記載の土留め工用ブロック材において、連結材が、ブロックの高さと略同一の長さにしたフルサイズの連結材と、ブロックの高さが略１／２の長さにしたハーフサイズの連結材とからなる構成になっている。
【発明の効果】
【００１０】
本発明は上記のようになり、請求項１に記載された構成では、各ブロックを積み重ねる際に、上下のブロックの相互の穴に連結材を嵌入することにより、この積み重ねた各ブロックの相互を結合することができて、このブロックの積み重ねにおいて、鉄筋やモルタルを使用することなく、従って特に技量を必要とすることがなく、簡易的に土留め工を築工することができる。
【００１１】
そして上記ブロックの積み重ねにおいて、千鳥状に行うことにより積み重ねた各ブロックの相互を横方向にも結合することができ、各ブロックが強固に結合した土留め工を築工することができる。
【００１２】
また、本発明の請求項２に記載された構成では、フルサイズのブロックとハーフサイズのブロックを用いて、端部に空間を残すことなく整然と土留め工を築工することができる。
【００１３】
また、本発明の請求項３に記載された構成では、フルサイズのブロックを直角折れ曲がり状に隣接して配置したときに、この折れ曲がり隅部上に他のブロックを、両ブロックにまたがって積み重ねることによりこの隣接するブロックの一体化を図ることができ、直角折れ曲がり状の土留め工を強固に築工することができる。
【００１４】
さらに、本発明の請求項４に記載された構成では、中段のブロックの穴にフルサイズの連結材を入れ、最下段と最上段のブロックの穴にハーフサイズの連結材を入れることにより、各段のブロックをフルサイズのブロックにて連結することができると共に、最上段のブロックの穴の開口部を連結材にて他の部分と同一面にすることができ、鉄筋やモルタルを全く用いることなく簡易的に、かつ整然とした外観にして土留め工を築工することができる。
【発明を実施するための最良の形態】
【００１５】
図１は平面形状が矩形状にコンクリートにて成形されたフルサイズのブロック１を、図２は平面形状が正方形状にコンクリートにて成形されたハーフサイズのブロック２をそれぞれ示すものである。なお、図３は上記図１のＡ−Ａ線に沿う断面矢視図で、フルサイズのブロック１の断面形状を示す。
【００１６】
フルサイズのブロック１は、例えば横幅が２に対して奥行きが１、高さが１の寸法割合になっている。そしてこのフルサイズのブロック１の平面形状の横幅方向の２個所に、上下方向に貫通する円形の穴３が設けてある。
【００１７】
この穴３の横幅方向の位置は、横幅を１／２で区切った部分の中央位置となっている。そしてこの実施の形態のように、穴３が２個の場合は、この穴３の位置は横幅方向の両端から１／４の位置に設けられている。
【００１８】
ハーフサイズのブロック２は、横幅、奥行き、高さがフルサイズのブロック１の奥行き寸法で１：１：１の大きさになっており、これの平面形状の中央に上記フルサイズのブロック１に設けた穴３と同径の穴４が上下方向に貫通して設けてある。
【００１９】
上記各穴３，４の上下の開放端縁に、各ブロック１，２の上下の端面に対してわずかに、例えば２ｍｍ程度高くした当接面５が設けてある。そしてフルサイズのブロック１の上下の端面には２つの穴３，３を連通する切欠き溝６，６が設けてある。
【００２０】
上記両ブロック１，２の側面には化粧模様、例えば疑石模様７が設けられている。この疑石模様７は、一側面あるいは全側面、さらには図示のように直角方向の２側面であってもよく、これらのブロック１，２を土留め工として用いたときに、表面に現れる面に化粧用として設けられる。
【００２１】
図４はフルサイズの連結材８、図５はハーフサイズの連結材９をそれぞれ示すものである。この両サイズの連続材８，９は、上記各サイズのブロック１，２の穴３，４にわずかな隙間を有して嵌合する寸法の断面円形状になっている。そしてフルサイズの連結材８の長さは、上記各ブロック１，２の高さと略同じ寸法になっており、ハーフサイズの連結材９の長さはこれの略１／２の寸法になっている。また、各連結材８，９の中間部に環状の溝１０，１１が設けてある。この各溝１０，１１は、フルサイズの連結材８では端部に近い位置に、またハーフサイズの連結材９では略１／２の位置に設けられている。
【００２２】
図６、図７は上記フルサイズとハーフサイズの両ブロック１，２及び連結材８，９を用いて築工した土留め工の一例を示す。
【００２３】
この例における土留め工は、コンクリートにて構成した基盤１２上にブロック１，２を長手方向に一列状にして千鳥状に３段積みにしてある。そしてこの場合、例えば１段目と３段目にフルサイズのブロック１のみを用いたときに、２段目の両端にフルサイズのブロック１の１／２の空間ができるので、この部分にハーフサイズのブロック２を積み重ねる。このときの各段のブロック１，２における各穴３，４は、上下方向に一直線状に位置される。
【００２４】
そしてこの各段の積み重ねにおいて、１段目のブロック１の各穴３にハーフサイズの連結材９を嵌入する。ついで２段目のブロック１，２の穴３，４にフルサイズの連結材８を嵌入する。この状態で各フルサイズの連結材８は、１段目のハーフサイズの連結材９に当接して、各ブロック１の上面よりこれらの１／２の長さで突出するので、２段目のブロック１，２の各穴３，４をこの連結材８に嵌入して積み重ねる。このときの各連結材８の上端は、２段目のブロック１，２の各穴３，４の１／２の位置となる。そしてこの各穴３，４にフルサイズの連結材７を挿入することにより、各連結材８の１／２の長さが２段目のブロック１，２より突出し、これに３段目のブロック１の穴３を嵌合して積み重ねる。そしてこの３段目の各穴３，４には、２段目のブロック１，２と同様にフルサイズの連結材８の１／２の長さ分の空間ができるので、この各穴内にハーフサイズの連結材９を嵌入する。これにより土留め工の最上段に積み重ねるブロック１の各穴３は、ハーフサイズの連結材９にてブロック１と同一面状に閉じられる。
【００２５】
上記したように上下の段を千鳥状に積み重ねることにより、各段列のブロック１，２は、フルサイズの連結材８を介して上下の段列によって列方向に係合される。
【００２６】
上記土留め工の築工において、フルサイズのブロック１の移動において、人力の場合は２つの穴３，３に手を入れ、穴３，３の下側の切欠き溝６に指を入れて持ち上げる。また、ロープを用いる場合には、２つの一方の穴３からロープを下側の切欠き溝６を通して他方の穴３から出してこのロープをブロック１に巻き掛ける。
【００２７】
また、連結材８，９の嵌入は人力で行われるが、このときに各連結材８，９の溝１０，１１に指をかけて行う。
【００２８】
さらに、各ブロック１，２の積み重ねは、穴３，４の開放端縁に設けられた当接面５の相互の当接にて行われる。従って、この当接面５が上下面で平行であることにより、ブロックの他の部分の平坦度に関係なく、上下段の各列を平行に積み重ねることができる。
【００２９】
図６、図７にて示した実施の形態では、土留め工を上面が平らな基盤１２上に載置した形態を示したが、背後の土圧を支持するために仮想線で示すように、基盤１２に外側を高くした段部１３を設け、この段部１３に最下段のブロックを係合するようにしてもよい。
【００３０】
また、各ブロック１，２に設ける穴３，４及びこれに嵌入する連結材８，９の断面形状は円形に限るものではなく、長方形、鼓状、さらに三角形であってもよい。
【００３１】
図８，図９はブロック１，２の積み方の変形例を示すもので、図８は直角折り曲げ状に、また図９は１段目を２列にし、土留め工全体を２列の厚さにした例をそれぞれ示す。
【００３２】
図８において、土留め工を直角折り曲げ状に積むときに、角部でのフルサイズのブロック１ａの側面に他のフルサイズのブロック１ｂの先端を沿わせ、この部分の上側に、両ブロック１ａ，１ｂにまたがる他のフルサイズのブロック１ｃを組み合わせる。
【００３３】
これにより、直角折り曲げ部に突き当てられて隣接するブロック１ａ，１ｂが、他のブロック１ｃにて一体化され、この直角折り曲げ状部が強固に結合される。
【００３４】
図９において、フルサイズのブロック１を１段目で千鳥状に２列に設置した場合、２段目では各フルサイズのブロック１を１段目とは直角状にして横方向に並べる。
【００３５】
これにより１段目に２列並べて設置したブロック１は、２段目のブロック１にて隣接する列同士で一体状に結合される。また２段目の各ブロック１は、この上に１段目のブロック１に対して直角状に設置することにより隣接するもの同士が一体状に結合される。この場合、１段目を千鳥状に２列並べたことにより、このように積み重ねた土留め工は、各ブロックが互いに連結されて一体状に築工される。
【００３６】
上記実施の形態では、フルサイズのブロック１の横幅を奥行きの２倍、すなわちハーフサイズのブロック２の２個分の大きさにした例を示したが、これはハーフサイズのブロック２の３個分以上の大きさにすると共に、ハーフブロック２の大きさごとに穴３を設ける形状にしてもよい。
【００３７】
すなわち、図１で示した実施の形態でのフルサイズのブロック１は、奥行きに対して横幅を１：２にした例で示したが、この横幅の大きさを上記奥行きの寸法に関係なく大きくしたものも考えられるが、この場合の上記穴３の位置は、横幅を整数分の１で区切った部分のそれぞれの幅方向中央に設ける。
【００３８】
そしてこのように穴３を３個所以上設けて横幅を大きくしたフルサイズのブロック１と共に用いるハーフサイズのブロック２は、上記フルサイズのブロック１の整数分の１、すなわち１つの穴３を有する区分の大きさのものが用いられる。
【図面の簡単な説明】
【００３９】
【図１】フルサイズのブロックを示す斜視図である。
【図２】ハーフサイズのブロックを示す斜視図である。
【図３】図１のＡ−Ａ矢視断面図である。
【図４】フルサイズの連結材を示す斜視図である。
【図５】ハーフサイズの連結材を示す斜視図である。
【図６】土留め工を示す一部破断正面図である。
【図７】土留め工を示す側面図である。
【図８】ブロックの積み方の変形例を示す斜視図である。
【図９】ブロックの積み方の他の変形例を示す斜視図である。
【符号の説明】
【００４０】
１，１ａ，１ｂ，１ｃ…フルサイズのブロック、２…ハーフサイズのブロック、３，４…穴、５…当接面、６…切欠き溝、７…擬石模様、８…フルサイズの連結材、９…ハーフサイズの連結材、１０，１１…溝、１２…基盤、１３…段部。
【図１】
2008115666.tif 000003
【図２】
2008115666.tif 000004
【図３】
2008115666.tif 000005
【図４】
2008115666.tif 000006
【図５】
2008115666.tif 000007
【図６】
2008115666.tif 000008
【図７】
2008115666.tif 000009
【図８】
2008115666.tif 000010
【図９】
2008115666.tif 000011